(57)【要約】【課題】工具を必要とせず、容易に巾木台とかご室壁を固定できるエレベータのかご室を提供する。【解決手段】かご床１と、かご床１上面縁部に固定される巾木台２と、巾木台２の上方に配置されるかご室壁３と、巾木台２上部とかご室壁３下部を固定する固定手段とを備えたエレベータのかご室において、固定手段は、かご室壁下部水平面３ａに形成される取付貫通穴と、巾木台２上部と互いに係合する巾木台係合部４ｃ及び巾木台係合部４ｃから上方に突出して下方から取付貫通穴を貫通するかご室壁取付部４ａを有する取付部材４と、上方からかご室壁取付部４ａに嵌合し、かご室壁３下部が取付部材４から外れることを防止する嵌合部材５とで構成した。【選択図】図４
2008133093.tif 000002
【特許請求の範囲】
【請求項１】
かご床と、
前記かご床上面縁部に固定される巾木台と、
前記巾木台の上方に配置されるかご室壁と、
前記巾木台上部と前記かご室壁下部を固定する固定手段と、
を備えたエレベータのかご室において、
前記固定手段は、
前記かご室壁下部水平面に形成される取付貫通穴と、
前記巾木台上部と互いに係合する巾木台係合部及び前記巾木台係合部から上方に突出して下方から前記取付貫通穴を貫通するかご室壁取付部を有する取付部材と、
上方から前記かご室壁取付部に嵌合し、前記かご室壁下部が前記取付部材から外れることを防止する嵌合部材と、
で構成されていることを特徴とするエレベータのかご室。
【請求項２】
取付部材は、巾木台係合部とかご室壁取付部の間に、巾木台上部とかご室壁下部と当接し、前記巾木台上部と前記かご室壁下部の間にかご室内の換気のための隙間を形成させる換気隙間形成部が設けられていることを特徴とする請求項１記載のエレベータのかご室。
【請求項３】
かご室壁取付部は、上面から下方に向かうにつれ外径が大きくなる略円錐台状に形成され、
嵌合部材は、上方から前記かご室壁取付部に嵌合するように略円錐台状の凹部を備えたことを特徴とする請求項１又は請求項２に記載のエレベータのかご室。
【請求項４】
かご室壁取付部は、剛性の高い部材で形成され、
嵌合部材は、剛性の低い部材で形成され、
凹部は、前記かご室壁取付部外径よりも僅かに小さい内径で形成され、広がるように変形して前記かご室壁取付部に嵌合することを特徴とする請求項３記載のエレベータのかご室。
【請求項５】
かご室壁取付部外周面及び嵌合部材の凹部内周面に、互いに噛み合うのこぎり状の溝が形成されていることを特徴とする請求項４記載のエレベータのかご室。
【請求項６】
かご室壁取付部は、中空部を有して側面両側に一対の嵌合クリップ貫通穴が形成され、前記中空部に、水平嵌合面の両端が近接するように斜め上方に向けて折り曲げられて略三角形状に形成された変形可能な嵌合クリップが、前記嵌合クリップ貫通穴から折り曲げ角部を突出させて配置され、
嵌合部材は、側面両側に一対のクリップ嵌合穴が形成され、前記側面内面で前記折り曲げ角部と接触して前記嵌合クリップを変形させるように前記かご室壁取付部の上方から押し込まれ、前記クリップ嵌合穴で前記折り曲げ角部と嵌合することを特徴とする請求項３記載のエレベータのかご室。
【請求項７】
巾木台係合部は、上方から巾木台上部水平面に形成された係合貫通穴を貫通し、前記巾木台上部水平面下面と係合することを特徴とする請求項１〜請求項６のいずれかに記載のエレベータのかご室。
【請求項８】
巾木台係合部は、係合貫通穴を変形しながら貫通して前記巾木台上部水平面下面の前記貫通穴縁部近傍に係合するフックで構成されていることを特徴とする請求項７記載のエレベータのかご室。
【請求項９】
係合貫通穴は長穴で形成され、
巾木台係合部は、中央垂直部及び下部水平部から構成され、前記下部水平部が長手方向を合わせて上方から前記係合貫通穴に貫通された後、前記中央垂直部を軸として水平方向に回転され、微小変形することにより前記下部水平部上面が巾木台上部水平面下面の前記係合貫通穴長辺近傍にがたつきなく係合することを特徴とする請求項７記載のエレベータのかご室。
【請求項１０】
巾木台係合部は、中空部を有して側面両側に一対の係合クリップ貫通穴が形成され、前記中空部に、水平係合面の両端が近接するように斜め下方に向けて折り曲げられて略三角形状に形成された変形可能な係合クリップが、前記係合クリップ貫通穴から折り曲げ角部を突出させて配置され、
前記係合クリップは、上方から係合貫通穴を変形しながら貫通し、前記水平係合面上面が、巾木台上部水平面下面の前記係合貫通穴縁部近傍に係合することを特徴とする請求項７記載のエレベータのかご室。
【発明の詳細な説明】
【技術分野】
【０００１】
この発明は、エレベータのかご室の巾木台とかご室壁の固定に関するものである。
【背景技術】
【０００２】
従来、エレベータのかご室は、かご床の巾木台とかご室壁の固定は、巾木台上部とかご室壁下部をボルトとナットで締結する構造となっている（例えば、特許文献１参照）。
【０００３】
【特許文献１】実開昭５２−１２２４６５号公報
【発明の開示】
【発明が解決しようとする課題】
【０００４】
従来のエレベータのかご室の巾木台とかご室壁の固定は、組立作業に工具を必要とし、手間と時間を要していた。
【０００５】
この発明は、上述のような課題を解決するためになされたもので、その目的は、工具を必要とせず、容易に巾木台とかご室壁を固定できるエレベータのかご室を提供することである。
【課題を解決するための手段】
【０００６】
この発明に係るエレベータのかご室は、かご床と、前記かご床上面縁部に固定される巾木台と、前記巾木台の上方に配置されるかご室壁と、前記巾木台上部と前記かご室壁下部を固定する固定手段とを備えたエレベータのかご室において、前記固定手段は、前記かご室壁下部水平面に形成される取付貫通穴と、前記巾木台上部と互いに係合する巾木台係合部及び前記巾木台係合部から上方に突出して下方から前記取付貫通穴を貫通するかご室壁取付部を有する取付部材と、上方から前記かご室壁取付部に嵌合し、前記かご室壁下部が前記取付部材から外れることを防止する嵌合部材とで構成されたものである。
【発明の効果】
【０００７】
この発明は、かご床と、前記かご床上面縁部に固定される巾木台と、前記巾木台の上方に配置されるかご室壁と、前記巾木台上部と前記かご室壁下部を固定する固定手段とを備えたエレベータのかご室において、前記固定手段は、前記かご室壁下部水平面に形成される取付貫通穴と、前記巾木台上部と互いに係合する巾木台係合部及び前記巾木台係合部から上方に突出して下方から前記取付貫通穴を貫通するかご室壁取付部を有する取付部材と、上方から前記かご室壁取付部に嵌合し、前記かご室壁下部が前記取付部材から外れることを防止する嵌合部材とで構成されることで、工具を必要とせず、容易に巾木台とかご室壁を固定できるエレベータのかご室を提供することができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご室の概要を示した正面図、図２はこの発明の実施の形態１におけるエレベータのかご室の平面図、図３はこの発明の実施の形態１における巾木台とかご室壁の固定手段の分解斜視図、図４は図１のＡ部拡大図であって、この発明の実施の形態１における巾木台とかご室壁の固定手段の正面図である。
【００１０】
図１において、１はエレベータのかご床、２は巾木台、３はかご室壁である。一般に、エレベータのかご室は、かご床１縁部に巾木台２を介してかご室壁３が固定されている。この発明のエレベータのかご室は巾木台２とかご室壁３の固定に特徴を有するものである。以下、この発明のエレベータのかご室を詳細に説明する。
【００１１】
図３、図４に示すように、かご床１上面の縁部には、開口部をかご室中央側に向けた縦断面コ字状の巾木台２が締結具等（図示せず）により固定されている。この巾木台２には、この発明の取付部材４及び嵌合部材５からなる固定手段を介してかご室壁３が固定されている。
【００１２】
ここで、取付部材４は、上面から下方に向かうにつれ外径が大きくなる略円錐台状のかご室壁取付部４ａと、かご室壁取付部４ａ下面が拡径され、かご室壁取付部４ａ下面に連結されて下方へ延びる鍔状の換気隙間形成部４ｂと、換気隙間形成部４ｂ下面から下方へ延び、互いに係合片を反対側に向けて斜め上方に折り曲げられる一対のフックからなる巾木台係合部４ｃから構成されている。この取付部材４のかご室壁取付部４ａ及び換気隙間形成部４ｂは、一体又は別体からなる剛性の高い金属等の部材で形成されており、巾木台係合部４ｃは、弾性変形可能なばね用ステンレス鋼等の部材で形成されている。
【００１３】
取付部材４の巾木台係合部４ｃは、巾木台上部水平面２ａの所定位置に形成される換気隙間形成部４ｂ外径よりも小さい内径の係合貫通穴２ｂを、上方から弾性変形しながら貫通し、係合片が、巾木台上部水平面２ａ下面の係合貫通穴２ｂ縁部近傍に係合している。即ち、取付部材４は、巾木台係合部４ｃの係合片端部と換気隙間形成部４ｂ下面で巾木台上部水平面２を挟み込むように配置されるため、上下方向への移動が抑制されている。
【００１４】
また、かご室壁３外面の下端には、かご室壁３下端部と合わせて、かご室外へ水平方向に延びる縦断面略Ｌ字状の下枠が溶接等により固定されており、かご室壁下部水平面３ａが形成されている。このかご室壁下部水平面３ａの所定位置には、取付部材４の換気隙間形成部４ｂの外径よりも小さく、かつ、かご室壁取付部４ａ下端の外径より大きい内径を有する取付貫通穴（図示せず）が形成されている。かご室壁３は、下方からこの取付貫通穴を取付部材４のかご室壁取付部４ａが貫通するように配置され、かご室壁下部水平面３ａ下面の取付貫通穴縁部近傍を換気隙間形成部４ｂ上面に当接させて取付部材４に取り付けられており、下方への移動が抑制されている。即ち、かご室壁下部水平面３ａ下面は、巾木台係合部４ｃとかご室壁取付部４ａの間に設けられている換気隙間形成部４ｂ上面と当接しており、換気隙間形成部４ｂ下面と当接する巾木台上部水平面２ａ上面との間にかご室内の換気のための隙間が形成されている。
【００１５】
また、このかご室壁下部水平面３ａ上面から上方に突出する取付部材４のかご室壁取付部４ａには、かご室壁取付部４ａと同じ高さにおいて、かご室壁取付部４ａの外径よりも僅かに小さい内径の略円錐台状の凹部を有する弾性変形可能な剛性の低い樹脂等の部材で形成されるキャップからなる嵌合部材５が配置されている。この嵌合部材５は、凹部を広げるようにして僅かに弾性変形しながら、くさび作用でかご室壁取付部４ａに嵌合しており、かご室壁下部がかご室壁取付部４ａから外れることを防止している。
【００１６】
次に、巾木台２とかご室壁３の固定手順を説明する。まず、取付部材４を、巾木台上部水平面２ａ上方から係合貫通穴２ｂに向けて下方に移動させる。この時、取付部材４の巾木台係合部４ｃは、斜め上方に延びる係合片外面を巾木台上部水平面２ａの係合貫通穴２ｂ縁部に当接させて係合貫通穴２ｂの中心方向に変形する。さらに、巾木台係合部４ｃの係合片と巾木台上部水平面２ａの係合貫通穴２ｂ内面の当接が開放されるまで取付部材４を下方へ移動させ、巾木台上部水平面２ａ下面の係合貫通穴２ｂ縁部近傍に係合させる。この状態により、取付部材４は、巾木台係合部４ｃの係合片端部と換気隙間形成部４ｂ下面で巾木台上部水平面２ａを挟み込むように配置されるため、上下方向の移動が抑制される。次に、かご室壁３を、下方から取付貫通穴を取付部材４のかご室壁取付部４ａが貫通するように、下方へ移動させ、かご室壁下部水平面３ａ下面の取付貫通穴縁部近傍を換気隙間形成部４ｂ上面に当接させる。最後に、嵌合部材５を、凹部を広げるようにして僅かに弾性変形させながら、取付部材４のかご室壁取付部４ａに嵌合させる。
【００１７】
以上で説明した実施の形態１によれば、巾木台２とかご室壁３の固定は、工具を必要とせず、かつ、上方からの動作のみで容易に行うことができる。また、かご室壁下部水平面３ａ下面は、巾木台係合部４ｃとかご室壁取付部４ａの間に設けられている換気隙間形成部４ｂ上面と当接しており、換気隙間形成部４ｂ下面と当接する巾木台上部水平面２ａ上面との間にかご室内の換気のための隙間が形成されているため、エレベータの乗客に密閉感を与えない。
【００１８】
実施の形態２．
図５はこの発明の実施の形態２における巾木台とかご室壁の固定手段の正面図であって、嵌合部材のみを断面で示した図である。
【００１９】
実施の形態２においては、略円錐台状のかご室壁取付部４ａの傾斜面からなる外周面及び嵌合部材５の凹部の傾斜面からなる内周面に、互いに噛み合うのこぎり状の溝４ｄ、５ａが形成されている。その他においては、実施の形態１と同様の構成である。
【００２０】
以上で説明した実施の形態２によれば、かご室壁取付部４ａ外周面及び嵌合部材５の凹部内周面に形成されたのこぎり状の溝４ｄ、５ａが互いに噛み合うため、実施の形態１に比べ、取付部材４と嵌合部材５の嵌合強度を上げることができる。従って、エレベータに異常振動が発生した場合においても、嵌合部材５が取付部材４のかご室壁取付部４ａから外れることをより確実に防止できる。
【００２１】
実施の形態３．
図６はこの発明の実施の形態３における巾木台とかご室壁の固定手段の分解斜視図、図７はこの発明の実施の形態３における巾木台とかご室壁の固定手段の断面図である。
【００２２】
実施の形態３においては、取付部材４のかご室壁取付部４ａは中空部を有しており、傾斜面からなる側面両側に一対の嵌合クリップ貫通穴４ｅが形成されている。この中空部には、水平嵌合面の両端が近接するように斜め上方に向けて折り曲げられて略三角形状に形成され、弾性変形可能な嵌合クリップ６が、嵌合クリップ貫通穴４ｅから折り曲げ角部を突出させて配置されている。なお、嵌合クリップ６の水平嵌合面の中央には、下向きの凸部が形成されており、嵌合クリップ６が嵌合部材５と傾斜面で当接して円滑に弾性変形する際の基部としての機能を有している。
【００２３】
一方、嵌合部材５は、傾斜面からなる側面両側に一対のクリップ嵌合穴５ｂが形成されており、側面内面で嵌合クリップ６の折り曲げ角部と接触して嵌合クリップ６を変形させるように取付部材４のかご室壁取付部４ａの上方から押し込まれ、クリップ嵌合穴５ｂで嵌合クリップ６の折り曲げ角部と嵌合するものである。
【００２４】
以上で説明した実施の形態３によれば、嵌合クリップ６の折り曲げ角部が嵌合部材５のクリップ嵌合穴５ｂに嵌合しているため、嵌合部材５を上方に移動させようとしても、クリップ嵌合穴５ｂ下部縁部が、嵌合クリップ６の水平嵌合面下面縁部と当接して嵌合部材５がかご室壁取付部４ａから外れることを防止できる。このため、実施の形態１に比べ、取付部材４と嵌合部材５の嵌合強度を上げることができる。従って、エレベータに異常振動が発生した場合においても、嵌合部材５が取付部材４のかご室壁取付部４ａから外れることをより確実に防止できる。また、嵌合クリップ６は、嵌合部材５下面と傾斜面で当接して円滑に弾性変形するため、嵌合部材５が嵌合しやすく、巾木台２とかご室壁３の固定の作業性が向上する。
【００２５】
実施の形態４．
図８はこの発明の実施の形態４におけるエレベータのかご室の巾木台とかご室壁の固定手段の分解斜視図、図９はこの発明の実施の形態４における巾木台とかご室壁の固定手段の正面図、図１０は図９のＢ−Ｂ線における断面図である。
【００２６】
実施の形態４においては、巾木台上部水平面２ａの係合貫通穴２ｂは、かご床１縁部と長手方向を同じにした長穴で形成されている。一方、取付部材４の巾木台係合部４ｃは、換気隙間形成部４ｂ下面に、一辺が係合貫通穴２ｂを構成する長穴の幅とほぼ同等又はより短い寸法で形成され、下方から所定深さで形成される中空部を有する横断面略正方形状の首部からなる中央垂直部と、長手方向を係合貫通穴２ｂを構成する長穴の幅よりも長く形成される細長係合部からなる下部水平部から構成されている。この巾木台係合部４ｃは、下部水平部が長手方向を合わせて上方から係合貫通穴２ｂに貫通された後、長手方向が係合貫通穴２ｂの長手方向と直交するように中央垂直部の中心を軸として水平方向に回転されている。この場合、巾木台係合部４ｃは中空部を有することで微小変形し、下部水平部上面と巾木台上部水平面２ａ下面の係合貫通穴２ｂの両長辺近傍が、がたつきなく係合されている。その他においては、実施の形態１と同様の構成である。
【００２７】
以上で説明した実施の形態４によれば、巾木台係合部４ｃが微小変形して、下部水平部上面と巾木台上部水平面２ａ下面の係合貫通穴２ｂの両長辺近傍が、がたつきなく係合されているため、取付部材４を上方に移動させようとしても、取付部材４が巾木台上部２ａから外れることを防止できる。このため、実施の形態１に比べ、巾木台２と取付部材４の係合強度を上げることができる。従って、エレベータに異常振動が発生した場合においても、取付部材４が巾木台上部水平面２ａから外れることをより確実に防止できる。また、取付部材４の巾木台２への係合は、上方からの動作及び回転動作のみで容易に行うことができる。
【００２８】
実施の形態５．
図１１はこの発明の実施の形態５における巾木台とかご室壁の固定手段の断面図である。
【００２９】
実施の形態５においては、取付部材４の巾木台係合部４ｃは中空部を有して円筒形状に形成され、側面両側に一対の係合クリップ貫通穴４ｆが形成されている。この中空部には、水平係合面の両端が近接するように斜め下方に向けて折り曲げられて略三角形状に形成され、弾性変形可能な係合クリップ７が、係合クリップ貫通穴４ｆから折り曲げ角部を突出させて配置されている。なお、係合クリップ７の水平係合面の中央には、上向きの凸部が形成されており、係合クリップ７が巾木台上部水平面２ａの係合貫通穴２ｂ縁部と傾斜面で当接して円滑に弾性変形する際の基部としての機能を有している。この場合、係合クリップ７は、上方から係合貫通穴２ｂを変形しながら貫通し、水平係合面上面が、巾木台上部水平面２ａ下面の前記係合貫通穴２ｂ縁部近傍に係合している。その他においては、実施の形態１と同様の構成である。
【００３０】
以上で説明した実施の形態５によれば、係合クリップ７の折り曲げ角部が巾木台上部水平面２ａ下面に係合しているため、取付部材４を上方に移動させようとしても、係合クリップ７の係合水平面上面が、巾木台上部水平面２ａ下面に当接して取付部材４が巾木台上部水平面２ａから外れることを防止できる。このため、実施の形態１に比べ、巾木台２と取付部材４の係合強度を上げることができる。従って、エレベータに異常振動が発生した場合においても、取付部材４が巾木台上部水平面２ａから外れることをより確実に防止できる。また、係合クリップ７は、巾木台上部水平面２ａの係合貫通穴２ｂ縁部と傾斜面で当接して円滑に弾性変形するため、巾木台上部水平面２ａに係合しやすく、巾木台２とかご室壁３の固定の作業性が向上する。
【図面の簡単な説明】
【００３１】
【図１】この発明の実施の形態１におけるエレベータのかご室の概要を示した正面図である。
【図２】この発明の実施の形態１におけるエレベータのかご室の平面図である。
【図３】この発明の実施の形態１における巾木台とかご室壁の固定手段の分解斜視図である。
【図４】図１のＡ部拡大図であって、この発明の実施の形態１における巾木台とかご室壁の固定手段の正面図である。
【図５】この発明の実施の形態２における巾木台とかご室壁の固定手段の正面図であって、嵌合部材のみを断面で示した図である。
【図６】この発明の実施の形態３における巾木台とかご室壁の固定手段の分解斜視図である。
【図７】この発明の実施の形態３における巾木台とかご室壁の固定手段の断面図である。
【図８】この発明の実施の形態４におけるエレベータのかご室の巾木台とかご室壁の固定手段の分解斜視図である。
【図９】この発明の実施の形態４における巾木台とかご室壁の固定手段の正面図である。
【図１０】図９のＢ−Ｂ線における断面図である。
【図１１】この発明の実施の形態５における巾木台とかご室壁の固定手段の断面図である。
【符号の説明】
【００３２】
１  かご床
２  巾木台
２ａ  巾木台上部水平面
２ｂ  係合貫通穴
３  かご室壁
３ａ  かご室壁下部水平面
４  取付部材
４ａ  かご室壁取付部
４ｂ  換気隙間形成部
４ｃ  巾木台係合部
４ｄ  のこぎり状の溝
４ｅ  嵌合クリップ貫通穴
４ｆ  係合クリップ貫通穴
５  嵌合部材
５ａ  のこぎり状の溝
５ｂ  クリップ嵌合穴
６  嵌合クリップ
７  係合クリップ
【図１】
2008133093.tif 000003
【図２】
2008133093.tif 000004
【図３】
2008133093.tif 000005
【図４】
2008133093.tif 000006
【図５】
2008133093.tif 000007
【図６】
2008133093.tif 000008
【図７】
2008133093.tif 000009
【図８】
2008133093.tif 000010
【図９】
2008133093.tif 000011
【図１０】
2008133093.tif 000012
【図１１】
2008133093.tif 000013